(57)【要約】【課題】広角端において周辺光量を確保することができ、フローティングフォーカス方式を含まない簡易構造の鏡筒が可能なームレンズを提供すること。【解決手段】物体側から順に、正の屈折力の第１レンズ群、負の屈折力の第２レンズ群、正の屈折力の第３レンズ群、正の屈折力の第４レンズ群、負の屈折力の第５レンズ群を有し、広角端から望遠端への変倍に際し、少なくとも第１レンズ群、第３レンズ群、第５レンズ群が物体側に移動すると共に、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するズームレンズであって、所定の条件式を満足するズームレンズ。【選択図】図１
2014209145.tif 000002
【特許請求の範囲】
【請求項１】
物体側から順に、正の屈折力の第１レンズ群、負の屈折力の第２レンズ群、正の屈折力の第３レンズ群、正の屈折力の第４レンズ群、負の屈折力の第５レンズ群を有し、広角端から望遠端への変倍に際し、少なくとも第１レンズ群、第３レンズ群、第５レンズ群が物体側に移動すると共に、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するズームレンズにおいて、
無限遠から近距離へのフォーカシングは、第５レンズ群を像側へ移動させることで行い、以下の条件式を満足することを特徴とするズームレンズ。
0.1 ≦ | f5 | / ft ≦ 0.2                  ・・・(1)
2.7 ≦ f1 / | f5 | ≦ 3.5                  ・・・(2)
2.0 ≦ ft / f14t ≦ 2.85                   ・・・(3)
0.2 ≦ β4t                                ・・・(4)
ただし、f5は第５レンズ群の焦点距離、ftは望遠端状態での全系の焦点距離、f1は第１レンズ群の焦点距離、f14tは望遠端状態での第１レンズ群から第４レンズ群までの合成の焦点距離、β4tは望遠端状態での第４レンズ群の横倍率を示す。
【請求項２】
変倍に際し、第２レンズ群と第４レンズ群が固定であることを特徴とする請求項１に記載のズームレンズ。
【請求項３】
前記第５レンズ群の像側に第６レンズ群を有し、第６レンズ群は物体側から順に、物体側の面に対し像側の面がより強い曲率をもつ正レンズ、像側の面に対し物体側の面がより強い曲率をもつ負レンズからなることを特徴とする請求項１又は２に記載のズームレンズ。
【請求項４】
第２レンズ群は物体側より順に、少なくとも負の屈折力の第２Ａレンズ群、負の屈折力の第２Ｂレンズ群を有し、前記第２Ｂレンズ群を光軸とほぼ垂直方向に移動させることにより像ブレを補正することを特徴とする請求項１〜３のうちのいずれか一項に記載のズームレンズ。
【請求項５】
物体側から順に、正の屈折力の第1レンズ群、負の屈折力の第２レンズ群、正の屈折力の第３レンズ群、正の屈折力の第４ンズ群、負の屈折力の第５レンズ群、第６レンズ群からなり、広角端から望遠端への変倍に際し、第４レンズ群と第６レンズ群は固定であり、第１レンズ群、第３レンズ群、第５レンズ群が物体側に移動すると共に、第１ンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するズームレンズにおいて、
無限遠から近距離へのフォーカシングは、第５レンズ群を像側へ移動させることで行い、以下の条件式を満足することを特徴とするズームレンズ。
3.0 ≦ | {1-(β5t)2} ・ (β6t)2 | ≦ 7.0      ・・・(5)
0.5 ≦ β6t ≦ 1.0                            ・・・(6)
ただし、β5t、β6tはそれぞれ第５レンズ群、第６レンズ群の望遠端における横倍率を示す。
【請求項６】
変倍に際し、第２レンズ群と第４レンズ群が固定であることを特徴とする請求項５に記載のズームレンズ。
【請求項７】
第２レンズ群は物体側より順に、少なくとも負の屈折力の第２Ａレンズ群、負の屈折力の第２Ｂレンズ群を有し、前記第２Ｂレンズ群を光軸とほぼ垂直方向に移動させることにより像ブレを補正することを特徴とする請求項５又は６に記載のズームレンズ。
【発明の詳細な説明】
【技術分野】
【０００１】
本発明は、３５ミリ一眼レフカメラ、ビデオカメラ、デジタルカメラに好適なズームレンズ、さらに詳しくは、大型で消費電力の大きい高トルクモータを必要とすることなく、迅速な合焦作動が可能なズームレンズに関する。
【背景技術】
【０００２】
従来より３５ミリ一眼レフカメラ、ビデオカメラ、デジタルカメラ等におけるズームレンズの合焦方式としては、前玉フォーカス方式や、インナーフォーカス方式が知られている。
前者の前玉フォーカス方式は、同一物体距離に対するフォーカスレンズの繰出し量がズーム状態によって変化せず一定であるため、鏡筒構造を簡素化できるメリットがある。しかし、合焦のために繰り出す前玉レンズの直径が大きく重量が重いため、迅速なフォーカシングには不適である。また、合焦作動によるズームレンズの重量バランスが大きく変化し、操作性が好ましくないという問題がある。
後者のインナーフォーカス方式は、一般にフォーカスレンズ径を小さくできるため、高トルクのモータを使用せずとも迅速なフォーカシングが可能となる。さらに、合焦作動時の重量バランスの変化も少なく、このインナーフォーカス方式は種々提案されている。
【０００３】
従来技術の前玉フォーカス方式でないズームレンズとして、物体側より順に正の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４、負の屈折力を有する第５レンズ群Ｇ５、正の屈折力を有する第６レンズ群Ｇ６、負の屈折力を有する第７レンズ群Ｇ７を有し、広角から望遠への変倍に際して第１レンズ群、第２レンズ群、第４レンズ群、第５レンズ群、第６レンズ群、第７レンズ群を物体側へ動かし、第７レンズ群を光軸方向へ移動させてフォーカシングを行うズームレンズが提案されている（例えば、特許文献１参照）。
【０００４】
特許文献１によって提案されたズームレンズは、リアフォーカス方式を採用することによって、前玉フォーカス方式に比較して、フォーカスレンズ群の小型化を達成している。
しかし、一般に最終レンズ群の光軸方向移動よって合焦する場合、最終合焦レンズ群が絞りから遠いため、最終合焦レンズ群を通る光束において、周辺光束が軸上光束よりレンズ径の高い位置を通る。従って、特に広角端において周辺光量をある程度確保する必要上、外径を極端に小さくすることが困難な問題がある。さらに、特許文献１の実施形態では、最終合焦レンズ群のレンズ枚数も３枚と多く、十分に小型軽量化を実現したとは言い難い。
【０００５】
従来技術の前玉フォーカス方式でない他のズームレンズとして、物体側から順に、正の屈折力の第１群、負の屈折力の第２群、正の屈折力の第３群、負の屈折力の第４群、正の屈折力の第５群、負の屈折力の第６群より構成され、無限遠物体から至近物体へのフォーカシングの際、第４群を物体側へ移動させると共に、第６群を像側に移動させるフローティングフォーカス方式を採用したズームレンズ系が提案されている（例えば、特許文献２参照）。
【０００６】
フローティングフォーカス方式は、移動レンズ群の数が多いので、迅速な合焦作動を行うことが困難である。フローティングフォーカス方式は、また、移動レンズ群を連結する連結部材が必要であるから、鏡筒機構の部品点数が多いことと構造が複雑化するという問題がある。
【０００７】
従来技術の前玉フォーカス方式でない他のズームレンズとして、物体側から順に、正の屈折力の第１群、負の屈折力の第２群、後続する少なくとも２つのレンズ群を有し、フォーカスは像側から２つ目の群で行うズームレンズ系が提案されている（例えば、特許文献３参照）。
【０００８】
引用文献３によって提案されたズームレンズ系は、コンパクトで迅速な合焦を達成している。
しかし、特に望遠端においてフォーカス群の移動量当りのピント移動量（フォーカス位置敏感度）が大きく、必要とされる合焦作動の駆動精度が非常に高く要求され、合焦作動制御が困難であるという問題がある。
【先行技術文献】
【特許文献】
【０００９】
【特許文献１】特許第４２２６８５４号公報
【特許文献２】特開２００９−２６５６５２号公報
【特許文献３】特許第４２２７２２３号公報
【発明の概要】
【発明が解決しようとする課題】
【００１０】
（発明の目的）
本発明は、上述した従来技術の前玉フォーカス方式でないズームレンズの上述した問題点に鑑みてなされたものであって、絞りと合焦レンズ群との間隔を小さくして、合焦レンズ群において周辺光束が軸上光束に比較して、極端に合焦レンズ群の径の高い位置を通ることなく、特に広角端において周辺光量を確保することができるズームレンズを提供することを目的とする。
本発明はまた、フローティングフォーカス方式を含まず、鏡筒を簡易な構成にして迅速な合焦作動を行うことができるズームレンズを提供することを目的とする。
本発明はさらに、特に望遠端においてフォーカス群の移動量当りのピント移動量すなわちフォーカス位置敏感度が大きくなく、合焦作動制御が容易なズームレンズを提供することを目的とする。
【課題を解決するための手段】
【００１１】
（第１発明）
第１発明は、物体側から順に、正の屈折力の第１レンズ群、負の屈折力の第２レンズ群、正の屈折力の第３レンズ群、正の屈折力の第４レンズ群、負の屈折力の第５レンズ群を有し、広角端から望遠端への変倍に際し、少なくとも第１レンズ群、第３レンズ群、第５レンズ群が物体側に移動すると共に、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するズームレンズにおいて、
無限遠から近距離へのフォーカシングは、第５レンズ群を像側へ移動させることで行い、以下の条件式を満足することを特徴とするズームレンズ。
0.1 ≦ | f5 | / ft ≦ 0.2                  ・・・(1)
2.7 ≦ f1 / | f5 | ≦ 3.5                  ・・・(2)
2.0 ≦ ft / f14t ≦ 2.85                   ・・・(3)
0.2 ≦ β4t                                ・・・(4)
ただし、f5は第５レンズ群の焦点距離、ftは望遠端状態での全系の焦点距離、f1は第１レンズ群の焦点距離、f14tは望遠端状態での第１レンズ群から第４レンズ群までの合成の焦点距離、β4tは望遠端状態での第４レンズ群の横倍率を示す。
【００１２】
（第２発明）
物体側から順に、正の屈折力の第1レンズ群、負の屈折力の第２レンズ群、正の屈折力の第３レンズ群、正の屈折力の第４ンズ群、負の屈折力の第５レンズ群、第６レンズ群からなり、広角端から望遠端への変倍に際し、第４レンズ群と第６レンズ群は固定であり、第１レンズ群、第３レンズ群、第５レンズ群が物体側に移動すると共に、第１ンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するズームレンズにおいて、
無限遠から近距離へのフォーカシングは、第５レンズ群を像側へ移動させることで行い、以下の条件式を満足することを特徴とするズームレンズ。
3.0 ≦ | {1-(β5t)2} ・ (β6t)2 | ≦ 7.0    ・・・(5)
0.5 ≦ β6t ≦ 1.0                          ・・・(6)
ただし、β5t、β6tはそれぞれ第５レンズ群、第６レンズ群の望遠端における横倍率を示す。
【００１３】
第１発明及び第２発明のズームレンズの構成についてさらに詳しく説明する。第１発明及び第２発明のズームレンズは、物体側から順に、少なくとも正の屈折力の第１レンズ群、負の屈折力の第２レンズ群、正の屈折力の第３レンズ群、正の屈折力の第４レンズ群、負の屈折力の第５レンズ群を有する。広角端から望遠端への変倍に際して、少なくとも第１レンズ群、第３レンズ群、第５レンズ群が物体側に移動する。すなわち、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するように移動する。この構成により、各レンズ群の変倍作用への負担が過大にならず、ズーム比の高倍率化と全長の小型化の両立を達成することができる。
【００１４】
無限遠状態から近距離物体状態への合焦に際して、第５レンズ群を像側に移動することで行う。第５レンズ群によるフォーカシングは、レンズ径が小型、軽量であり、フォーカス機構の小型化と迅速なフォーカシングに適している。また、本発明においては、一般的な第１レンズ群でのフォーカシング方法に比べ、近距離物体における周辺光量の低下を抑えることができる。
【００１５】
本発明において、第２レンズ群、第４レンズ群は、固定である。これにより、メカ機構の簡素化が図れる。第４レンズ群は移動させても良く、第３レンズ群と第４レンズ群の間隔を効果的に変えることによって、ズーミングにおける球面収差の変動を良好に補正することができる。さらに、ズーミングにおけるズーム中間域での像面湾曲を良好に補正することができる。第３レンズ群は物体側から順に、負レンズと正レンズの２枚で構成し、レンズ枚数を極力抑えることが望ましい。
【００１６】
開口絞りは、第４レンズ群と第５レンズ群の間に配置され、他のレンズ群と独立で移動することが望ましい。この構成により、絞り径を小さく構成できると共に、全変倍範囲において絞り径を一定にすることができる。
また、フォーカス群である第５レンズ群を開口絞りと隣接させることにより、第５レンズ群を通る軸上光束と周辺光束はほぼレンズ径の同じ高さの位置を通るため、レンズ径を大きくする必要がなく、小型化が可能となる。第５レンズ群は、物体側より順に正レンズと負レンズの接合レンズで構成すると、レンズ枚数を極力抑えることができ、軽量化を容易に実現できる。
【００１７】
（第１発明の実施態様）
第１発明において、変倍に際し、第２レンズ群と第４レンズ群が固定であることを特徴とする。
【００１８】
第１発明において、前記第５レンズ群の像側に第６レンズ群を有し、第６レンズ群は物体側から順に、物体側の面に対し像側の面がより強い曲率をもつ正レンズ、像側の面に対し物体側の面がより強い曲率をもつ負レンズからなることを特徴とする。
【００１９】
第２レンズ群は物体側より順に、少なくとも負の屈折力の第２Ａレンズ群、負の屈折力の第２Ｂレンズ群を有し、前記第２Ｂレンズ群を光軸とほぼ垂直方向に移動させることにより像ブレを補正することを特徴とする。
【００２０】
（第２発明の実施態様）
第２発明において、変倍に際し、第２レンズ群と第４レンズ群が固定であることを特徴とする。
【００２１】
第２発明において、第２レンズ群は物体側より順に、少なくとも負の屈折力の第２Ａレンズ群、負の屈折力の第２Ｂレンズ群を有し、前記第２Ｂレンズ群を光軸とほぼ垂直方向に移動させることにより像ブレを補正することを特徴とする。
【００２２】
（条件式（１）の説明）
条件式（１）は、望遠端の焦点距離に対する、第５レンズ群の焦点距離の比を適切に設定するための条件式である。
0.1 ≦ | f5 | / ft ≦ 0.2                  ・・・(1)
ただし、f5は第５レンズ群の焦点距離、ftは望遠端状態での全系の焦点距離を示す。
【００２３】
条件式（１）の下限値を超えると、変倍による第５レンズ群の移動量が小さくなり、フォーカスカム筒の外径を小さくすることができ、鏡筒径のコンパクト化が図れる。他方、条件式（１）の上限値を超えると、全長のコンパクト化ができない。
【００２４】
（条件式（２）の説明）
条件式（２）は、第５レンズ群に対する第１レンズ群の焦点距離の比を適切に設定するための条件式であり、各レンズ群の変倍作用をバランス化し、かつ小型化を実現するための条件式である。
2.7 ≦ f1 / | f5 | ≦ 3.5                  ・・・(2)
ただし、f1は第１レンズ群の焦点距離、f5は第５レンズ群の焦点距離を示す。
【００２５】
条件式（２）の下限値を超えると、最も変倍作用の高い第１レンズ群の移動量が小さくなるため、球面収差、コマ収差、倍率色収差等の補正が困難になる。他方、条件式（２）の上限値を超えると、第５レンズ群に対して第１レンズ群の移動量が大きくなり、効果的に変倍比を稼ぎ易く、球面収差やコマ収差を良好に補正することが容易となる。しかし、テレ比（望遠端の全長÷望遠端の焦点距離）が大きくなり、鏡筒全長の小型化が困難になる。
【００２６】
（条件式（３）の説明）
条件式（３）は、望遠端での全系の焦点距離と、望遠端での第１レンズ群から第４レンズ群までの合成焦点距離の比を示すもので、いわゆるフォーカス群の移動量当りのピント移動量の程度を表すフォーカス位置敏感度を適切に設定するための条件式である。
2.0 ≦ ft / f14t ≦ 2.85                    ・・・(3)
ただし、ftは望遠端状態での全系の焦点距離、f14tは望遠端状態での第１レンズ群から第４レンズ群までの合成の焦点距離を示す。
【００２７】
条件式（３）の下限値を超えると、フォーカス移動量が増大し、それに伴いアクチュエータの大型化を招き好ましくない。他方、条件式（３）の上限値を超えると、フォーカス群の移動量は小さくなるが、前記フォーカス位置敏感度が大きくなり、必要とされるフォーカシングの駆動精度が高くなる。従って、フォーカシング制御が困難になる。
【００２８】
（条件式（４）の説明）
条件式（４）は、望遠端での第４レンズ群の横倍率を適切に設定するための条件式である。
0.2 ≦ β4t                                ・・・(4)
【００２９】
条件式（４）の下限値を超えると、光束を収束させるための第４レンズ群のレンズ枚数が多くなり好ましくない。
【００３０】
（条件式（５）の説明）
条件式（５）は、フォーカス群の移動量に対するピント移動量の比を示すもので、前記フォーカス位置敏感度を適切に設定するための条件式である。
3.0 ≦ | {1-(β5t)2} ・ (β6t)2 | ≦ 7.0   ・・・(5)
ただし、β5t、β6tはそれぞれ第５レンズ群、第６レンズ群の望遠端における横倍率を示す。
【００３１】
条件式（５）の下限値を超えると、フォーカス移動量が増大し、それに伴いアクチュエータの大型化を招き好ましくない。他方、条件式（５）の上限値を超えると、フォーカス群の移動量は小さくなるが、前記フォーカス位置敏感度が大きくなり、必要とされるフォーカシングの駆動精度が高くなる。従って、フォーカシング制御が困難になる。
【００３２】
（条件式（６）の説明）
条件式（６）は、第６レンズ群の望遠端での横倍率を適切に設定するための条件式である。
0.5 ≦ β6t ≦ 1.0                        ・・・(6)
【００３３】
条件式（６）の下限値を超えると、第６レンズ群の正の屈折力が強くなり、収差を良好に補正するためにレンズ枚数を増やさなければならず、好ましくない。他方、条件式（６）の上限値を超えると、フォーカス群の前記フォーカス位置敏感度を小さくすること、すなわち条件式（５）の上限値を満足することが困難になる。
条件式（５）及び（６）を同時に満足させることにより、オートフォーカスに最適なフォーカス方式を備えたズームレンズを提供することが可能となる。
【発明の効果】
【００３４】
（一）本発明のズームレンズによれば、絞りと合焦レンズ群との間隔を小さくして、合焦レンズ群において周辺光束が軸上光束より極端に合焦レンズ群の径の高い位置を通さず、特に広角端において周辺光量を確保することができる効果を有する。
本発明のズームレンズによればまた、フローティングフォーカス方式を含まず、鏡筒を簡易な構成にしかつ迅速な合焦作動を行うことができる効果を有する。
本発明のズームレンズによればさらに、特に望遠端においてフォーカス群の移動量当りのピント移動量（フォーカス位置敏感度）が大きくなく、合焦作動制御が容易であるという効果を有する。
【００３５】
(二)従来より、リアフォーカス方式のズームレンズにおいて、正負正正負の５群ズームレンズが種々と提案されている。本発明も正負正正負の５群ズームレンズである。また、本発明においては、フォーカス群の像側に最終レンズ群として、もう１レンズ群を追加した正負正正負正、または正負正正負負の６群ズームレンズも含む。
最終レンズ群の第６レンズ群を追加したメリットは、第１に、変倍に際して第６レンズ群を固定群とすることで、鏡筒内部へのゴミの侵入を防ぐ点で望ましい構成となる。
第２に、第６レンズ群は物体側から順に、物体側の面に対し像側の面がより強い曲率をもつ正レンズ、像側の面に対し物体側の面がより強い曲率をもつ負レンズで構成としている。この構成により、第６レンズ群の外径を小さく抑えることができると共に、第６レンズ群を追加しない状態に対し、テレセントリック性を弱めることが容易となる。詳しくは、射出瞳位置を像側へ近づけることが可能となり、超望遠レンズでよく起こり得る一眼レフカメラに装着した際のファインダー像の光線ケラレすなわちミラー切れを防ぐ構成とすることが容易となる。
【００３６】
(三)本発明の実施態様において、手振れ等による画像のブレを光学系の一部のレンズ群を防振レンズ群とし、光軸と垂直方向に移動させることによって、撮影画像の変位ブレを補正している。詳しくは、第２レンズ群は、物体側から順に、少なくとも負の屈折力の第２Ａレンズ群、負の屈折力の第２Ｂレンズ群を有し、第２Ｂレンズ群を防振レンズ群とし、光軸と垂直方向に移動させる。第２レンズ群は最も変倍作用が大きく、且つ防振レンズ群を小型化するために、強い負の屈折力となる傾向がある。従って、上記のように第２レンズ群を少なくとも２つのレンズ群に分割することが望ましい。これにより、負の屈折力を分散させ、第２レンズ群で発生する球面収差、非点収差、軸外コマ収差を良好に補正することが可能となる。このとき、第２Ａレンズ群は負の屈折力であることが望ましい。これにより、防振レンズ群（第２Ｂレンズ群）に入射する軸上光束の入射角が緩やかになり、防振時の偏心収差の発生を抑えることが可能となる。
【００３７】
（四）第２レンズ群の小型化させる最良の形態は、物体側から順に、負の屈折力の第２Ａレンズ群、負の屈折力の第２Ｂレンズ群、正の屈折力の第２Ｃレンズ群で構成することである。第２Ｂレンズ群の像側に正の屈折力の第２Ｃレンズ群を配置することにより、第２Ｂレンズ群の負の屈折力を強くすることが可能となり、防振量に対する像の補正量が大きくなり、防振アクチュエータの小型化に有利となる。
さらに、収差補正的観点からも第２Ａレンズ群と第２Ｂレンズ群で発生した負の収差を正の屈折力の第２Ｃレンズ群で打ち消すことが可能となる。この構成は、第２レンズ群を２つに分割した場合に対して、より小型化し易いメリットがある。第２Ｃレンズ群は、物体側から順に、少なくとも正レンズと負レンズで構成することが好ましい。この構成により、主に防振時の非点収差を良好に補正することが可能となる。
【図面の簡単な説明】
【００３８】
【図１】本発明の第１実施形態の画像ブレ補正機能を備えたズームレンズの無限遠合焦時の光学断面及び各レンズ群のズーム移動を示す光学断面図である。
【図２】図１に示す第１実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図３】図１に示す第１実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図４】図１に示す第１実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図５】本発明の第２実施形態の画像ブレ補正機能を備えたズームレンズの無限遠合焦時の光学断面及び各レンズ群のズーム移動を示す光学断面図である。
【図６】図５に示す第２実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図７】図５に示す第２実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図８】図５に示す第２実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図９】本発明の第３実施形態の画像ブレ補正機能を備えたズームレンズの無限遠合焦時の光学断面及び各レンズ群のズーム移動を示す光学断面図である。
【図１０】図９に示す第３実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１１】図９に示す第３実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１２】図９に示す第３実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１３】本発明の第４実施形態の画像ブレ補正機能を備えたズームレンズの無限遠合焦時の光学断面及び各レンズ群のズーム移動を示す光学断面図である。
【図１４】図１３に示す第４実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１５】図１３に示す第４実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１６】図１３に示す第４実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【発明を実施するための形態】
【００３９】
以下に示す実施形態において、諸元光学データにおける面番号NSは物体側から数えたレンズ面の面番号、ｒはレンズ面の曲率半径(mm)、ｄはレンズ面の光軸上の間隔(mm)、ｎｄはｄ線（波長λ=587.6ｎｍ）に対する屈折率、ｖｄはｄ線（波長λ=587.6ｎｍ）に対するアッベ数をそれぞれ示している。f は焦点距離（ｍｍ）、FNo.は開口数、ωが半画角（°）を示す。面番号の後側にＳを付したものは、絞りを示す。
【００４０】
（第１実施形態）
f     = 205.00〜487.00
FNo. = 4.59〜5.75
ω   = 5.96〜2.51
【００４１】
面番号            r           d            nd              vd
物面            ∞           (d0)
1               482.5439      2.7000       1.80420         46.50 
2               136.9302     10.0000       1.49700         81.61 
3             -1311.2444      0.2000 
4               154.4406     10.0000       1.49700         81.61 
5              -891.1563     (d5)
6              -131.8575      2.0000       1.63854         55.45 
7              -465.4831      0.4259 
8               172.2754      4.0000       1.69680         55.46 
9               517.9251      3.3582 
10             3967.0669      1.5000       1.56732         42.84 
11               45.8114      4.0000       1.84666         23.78 
12               86.1419      8.0164 
13             -409.3100      1.8000       1.72916         54.67 
14              164.3517     (d14)
15              146.9915      1.8000       1.90366         31.31 
16               80.4953     10.5000       1.48749         70.44 
17              -78.4715     d(17)
18              110.9146      8.5000       1.49700         81.61 
19              -78.3006      1.5000       1.83400         37.34 
20             2951.7311      0.2000 
21               88.4914      4.4959       1.74330         49.22 
22            -3091.0648      d(22)
23Ｓ           ∞             d(23)
24              188.4400      3.4000       1.67270         32.17 
25              -86.6515      1.0000       1.71300         53.94 
26               45.7256     d(26)
27              -96.1249      5.0000       1.60342         38.01 
28              -47.3945     18.8963 
29              -49.4312      1.5000       1.72342         37.99 
30              -92.7467     (bf)
【００４２】
[無限遠合焦時の可変間隔]
広角        中間          望遠
f              205.0001    300.0000     487.0000 
d0              ∞          ∞            ∞
d5              28.8518     80.2974     138.2464 
d14             35.8093     20.5025       6.7969 
d17              1.5000     16.8068      30.5124 
d22             32.5090     21.0137       2.0000 
d23              1.5000      6.6922       4.8541 
d26             27.2150     33.5181      54.3698 
bf              64.2045     64.2045      64.2045 
【００４３】
[近距離合焦時の可変間隔 （撮影距離2.2m）]
広角           中間         望遠
f              179.3019      231.4119      288.6839 
d0            1902.9363     1851.4907     1793.5415 
d5              28.8518       80.2974      138.2464 
d14             35.8093       20.5025        6.7969 
d17              1.5000       16.8068       30.5124 
d22             32.5090       21.0137        2.0000 
d23              6.3420       16.4347       25.6545 
d26             22.3729       23.7756       33.5695 
bf              64.2045       64.2045       64.2045 
【００４４】
[条件式対応値 ]
条件式(1)      0.166 
条件式(2)      3.450 
条件式(3)      2.570 
条件式(4)      0.412 
条件式(5)      5.870 
条件式(6)      0.857 
【００４５】
（第２実施形態）
f     = 205.04〜486.97
FNo. = 4.62〜5.78
ω   = 5.90〜2.49
【００４６】
面番号             r          d             nd           vd
物面             ∞           (d0)
1               436.4287      3.0000       1.80400       46.60 
2               122.1130     11.5000       1.49782       82.57 
3              -605.0947      0.3000 
4               125.4694     11.0000       1.49782       82.57 
5             -1875.0633      (d5)
6              -496.2416      4.1000       1.60342       38.01 
7               -61.4135      1.5000       1.72916       54.67 
8               132.4791      5.1000 
9              -188.3876      1.5000       1.51742       52.15 
10               46.2336      3.8000       1.80518       25.46 
11               99.3055      2.0000 
12             -411.8858      1.7000       1.74330       49.22 
13              143.7588      3.0000 
14              153.9724      9.5000       1.60738       56.82 
15              -32.5888      1.7000       1.65844       50.85 
16             -200.7252      (d16)
17              121.8569      1.7000       1.90366       31.31 
18               73.6444     10.0000       1.48749       70.44 
19              -63.3839      (d19)
20              524.0060      7.6000       1.49700       81.61 
21              -54.0683      1.7000       1.83400       37.34 
22             -164.5813      0.2000 
23               69.2565      4.3000       1.74330       49.22 
24              203.8076      (d24)
25Ｓ             ∞           (d25)
26              151.8781      3.1000       1.64769       33.84 
27             -106.5949      1.1000       1.72916       54.67 
28               44.3402      (d28)
29              -96.2691      5.0000       1.58144       40.89 
30              -43.4021     21.0392 
31              -40.3878      1.5000       1.83481       42.72 
32              -68.1862      (bf)
【００４７】
[無限遠合焦時の可変間隔]
広角          中間           望遠
f              205.0431     299.9821       486.9688 
d0              ∞           ∞             ∞
d5              52.0770      83.8845       127.4543 
d16             23.8204      10.7208         2.0000 
d19              1.5000       8.8128        12.3467 
d24             32.6377      23.5524         4.9613 
d25              8.2078      11.1530         5.8667 
d28             19.8179      31.7449        60.8092 
bf              54.3185      54.3185        54.3185 
【００４８】
[近距離合焦時の可変間隔 （撮影距離2.2m）]
広角          中間          望遠
f              175.7064      225.0670      280.4931 
d0            1890.0000     1858.1924     1814.6227 
d5              52.0770       83.8845      127.4543 
d16             23.8204       10.7208        2.0000 
d19              1.5000        8.8128       12.3467 
d24             32.6377       23.5524        4.9613 
d25             13.6845       21.5022       26.1835 
d28             14.3413       21.3957       40.4924 
bf              54.3185       54.3185       54.3185 
【００４９】
[条件式対応値 ]
条件式(1)      0.161 
条件式(2)      2.902 
条件式(3)      2.436 
条件式(4)      0.505 
条件式(5)      5.998 
条件式(6)      0.841  
【００５０】
（第３実施形態）
f     = 205.00〜487.00
FNo. = 4.60〜5.76
ω   = 5.96〜2.51
【００５１】
面番号             r            d            nd          vd
物面            ∞            (d0)
1               558.3655      2.7000       1.80400       46.60 
2               139.4024     10.5000       1.49782       82.57 
3              -668.2361      0.2000 
4               146.6085      9.5000       1.49782       82.57 
5             -1118.6091      (d5)
6              -184.3582      3.0958       1.60342       38.01 
7               -78.4233      1.7000       1.74400       44.90 
8              -759.0474      3.0000 
9              -338.8378      1.5000       1.51742       52.15 
10               50.9127      4.0000       1.84666       23.78 
11               82.0507      3.6574 
12             -290.8254      1.5000       1.71300       53.94 
13              474.8838      3.3272 
14              116.6954      6.6077       1.61800       63.39 
15              -73.5919      8.6519 
16              -54.6227      1.7000       1.61800       63.39 
17             1689.1127      (d17)
18              238.5481      1.8000       1.90366       31.31 
19              100.9122     10.5000       1.49700       81.61 
20              -62.9714      (d20)
21              172.8037      8.5000       1.48749       70.44 
22              -69.2343      1.5000       1.83400       37.34 
23             -210.9192      0.2000 
24               72.4017      4.3000       1.74330       49.22 
25              166.6731      (d25)
26(絞り)        ∞            (d26)
27              185.1203      3.0000       1.67270       32.17 
28              -88.3740      1.0000       1.69680       55.46 
29               45.2699      (d29)
30              -87.7232      5.0000       1.51742       52.15 
31              -48.0961     24.4805 
32              -56.4244      1.5000       1.72916       54.67 
33             -109.4653      (bf)
【００５２】
[無限遠合焦時の可変間隔]
広角          中間          望遠
f              205.0000     300.0000       486.9998 
d0              ∞           ∞             ∞
d5              22.5976      77.8408       132.5976 
d17             28.7349      20.1857        11.5943 
d20              1.5000      10.0493        18.6406 
d25             35.3321      22.2590         3.0000 
d26              3.7089       7.5300         4.8106 
d29             29.7060      38.9579        60.9364 
bf              54.3186      54.3186        54.3186 
【００５３】
[近距離合焦時の可変間隔 （撮影距離2.2m）]
広角          中間          望遠
f              177.4144      228.3957      283.2414 
d0            1900.0000     1844.7568     1790.0000 
d5              22.5976       77.8408      132.5976 
d17             28.7349       20.1857       11.5943 
d20              1.5000       10.0493       18.6406 
d25             35.3321       22.2590        3.0000 
d26              8.5748       16.9032       24.2275 
d29             24.8400       29.5848       41.5195 
bf              54.3186       54.3186       54.3186 
【００５４】
[条件式対応値 ]
条件式(1)      0.173 
条件式(2)      3.100 
条件式(3)      2.536 
条件式(4)      0.454 
条件式(5)      6.182 
条件式(6)      0.928 
【００５５】
（第４実施形態）
f     = 205.00〜487.00
FNo. = 4.59〜5.75
ω   = 5.96〜2.51
【００５６】
面番号            r            d            nd            vd
物面            ∞           (d0)
1              3780.7912      2.7000       1.80420       46.50 
2               164.6767     11.0525       1.49700       81.61 
3              -266.3818      0.2000 
4               132.1963      8.0978       1.49700       81.61 
5              1175.7104      (d5)
6               314.4323      5.0831       1.62004       36.30 
7              -106.1601      6.5862 
8               -74.4300      1.8000       1.71736       29.50 
9             -1202.3391      7.6422 
10             -297.8350      1.5000       1.56883       56.04 
11               45.2037      4.0000       1.84666       23.78 
12               92.7276      4.0000 
13             -194.4620      1.8000       1.72342       37.99 
14              246.7662      3.0000 
15              134.4913      3.0000       1.63854       55.45 
16              184.8712      (d16)
17              113.4290      1.8000       1.90366       31.31 
18               69.2087     10.5000       1.48749       70.44 
19              -71.3663      (d19)
20              134.9908      8.5000       1.49700       81.61 
21              -76.8654      1.5000       1.83400       37.34 
22             -283.4054      0.2000 
23               91.8322      4.7406       1.74330       49.22 
24              223.4482      (d24)
25Ｓ            ∞            (d25)
26              433.9229      3.8000       1.72342       37.99 
27              -37.6454      1.0000       1.69680       55.46 
28               47.4180      (bf)
【００５７】
[無限遠合焦時の可変間隔]
広角           中間        望遠
f             205.0000      299.9999     486.9996 
d0            ∞            ∞            ∞
d5             21.4303       65.9246     120.2513 
d16            38.5508       22.5010       8.7809 
d19             1.5000       17.5498      31.2699 
d24            31.4929       20.4210       2.3032 
d25             2.5139        5.7070       1.5000 
bf            104.0719      111.9506     134.2754 
【００５８】
[近距離合焦時の可変間隔 （撮影距離2.2m）]
広角          中間          望遠
f              179.1165      231.7878      291.6486 
d0            1907.2564     1862.7622     1808.4353 
d5              21.4303       65.9246      120.2513 
d16             38.5508       22.5010        8.7809 
d19              1.5000       17.5498       31.2699 
d24             31.4929       20.4210        2.3032 
d25              7.7118       15.8608       22.2165 
bf              98.8740      101.7968      113.5589 
【００５９】
[条件式対応値]
条件式(1)      0.168 
条件式(2)      3.382 
条件式(3)      2.640 
条件式(4)      0.545 
条件式(5)  
条件式(6)  
【符号の説明】
【００６０】
Ｓ                          絞り
ＩＰ                        結像面
１，２，３，・・・          レンズ面
Ｌ１，Ｌ２，Ｌ３，・・・    レンズ群
Ｌ２Ａ，Ｌ２Ｂ，Ｌ２Ｃ      レンズ群
【図１】
2014209145.tif 000003
【図２】
2014209145.tif 000004
【図３】
2014209145.tif 000005
【図４】
2014209145.tif 000006
【図５】
2014209145.tif 000007
【図６】
2014209145.tif 000008
【図７】
2014209145.tif 000009
【図８】
2014209145.tif 000010
【図９】
2014209145.tif 000011
【図１０】
2014209145.tif 000012
【図１１】
2014209145.tif 000013
【図１２】
2014209145.tif 000014
【図１３】
2014209145.tif 000015
【図１４】
2014209145.tif 000016
【図１５】
2014209145.tif 000017
【図１６】
2014209145.tif 000018